(57)【特許請求の範囲】
【請求項１】
踏みつけ部とヒール部に底意匠パターンを設けた靴底の前記底意匠パターンを、左右の両端を開口し、しかも、靴底の先後方向に対し直交する条溝部と、平滑状で、エッジ部が断面ほぼ９０°の接地面を備えた突条部を靴底の先後方向に交互に配して横縞模様状と成し、かつ、前記突条部を少くとも一対以上に分割する縦条溝部によって前記条溝部を互いに連通させて構成すると共に、前記踏みつけ部の前記底意匠パターン中の前記踏みつけ部と前記ヒール部間に介在する踏まず部寄りには、該底意匠パターンの前記突条部乃至条溝部に対して交叉する方向に配し、平滑状で、エッジ部が断面ほぼ９０°の接地面を備えた交叉突条部と前記条溝部に連通する交叉条溝部を交互に配して構成したパターン部分を設けた、靴底。
【発明の詳細な説明】
【０００１】
【産業上の利用分野】
本発明は、水産加工場や食品工場等において用いている防滑性射出成形長靴に主に適用される靴底に関するものである。
【０００２】
【従来の技術】
従来から、ポリ塩化ビニル製の射出成形長靴はその耐油性の良さから水産加工場や食品工場で作業に従事する人達に使用されてきており、その靴底は水や油で濡れた床面での転倒を防止するため、様々な工夫がされてきた。例えば、底の配合に高重合度のポリ塩化ビニルを使用してより柔軟性と弾性を付加したものや、エチレン酢酸ビニル共重合体の発泡架橋底を後から貼り付けたものなどが考案されてきた。
【０００３】
また、射出成形長靴以外のものにあっては、ガラス繊維や織布、不織布等の繊維状物やセラミックなどを混合することで滑りを防止しようとするものや繊維状物を直接靴底に貼り合わせて成るもの等があった。
【０００４】
【発明が解決しようとする課題】
しかしながら、ガラス繊維やセラミックはステンレス床等を傷付けるし、また柔軟性を増したり、発泡底といった方法は確かに靴底接地面と床面との間の摩擦抵抗を上げ滑りにくくなるものの、安定して歩行が出来るというほどの防滑効果はなかった。
【０００５】
本発明は斯様な従来例の欠点に着目して創案したものである。
【０００６】
【課題を解決するための手段】
踏みつけ部とヒール部に底意匠パターンを設けた靴底の前記底意匠パターンを、左右の両端を開口し、しかも、靴底の先後方向に対し直交する条溝部と、平滑状で、エッジ部が断面ほぼ９０°の接地面を備えた突条部を靴底の先後方向に交互に配して横縞模様状と成し、かつ、前記突条部を少くとも一対以上に分割する縦条溝部によって前記条溝部を互いに連通させて構成すると共に、前記踏みつけ部の前記底意匠パターン中の前記踏みつけ部と前記ヒール部間に介在する踏まず部寄りには、該底意匠パターンの前記突条部乃至条溝部に対して交叉する方向に配し、平滑状で、エッジ部が断面ほぼ９０°の接地面を備えた交叉突条部と前記条溝部に連通する交叉条溝部を交互に配して構成したパターン部分を設けた構成とする。
【０００７】
本発明に係る靴底は、ポリ塩化ビニル１００重量部に対して総可塑剤量を１００〜１２０重量部とし、その内の４０〜８０重量部をポリエステル系可塑剤を配合して成る耐油性を有する素材を用いることが望ましく、柔らかければ柔らかいほど良いが、耐摩耗性を考慮するとＨＤＡ５０〜６０（ＪＩＳ  Ｋ  ７２１５）のものを使用するのが望ましく、この硬さを出すのには、前記の通り、ポリ塩化ビニル１００重量部に対して総可塑剤量を１００〜１２０重量部とすることで実現する。その内の４０〜８０重量部をポリエステル系可塑剤を使用することで耐油性を増強する。
【０００８】
【実施例】
図面は本発明に係る靴底の一実施例を示し、図１は正面図、図２は側面図である。
【０００９】
実施例の靴底Ａはアッパー部と一体に成形される射出成形長靴に適用したもので、ポリ塩化ビニル１００重量部、総可塑剤量１００重量部および安定剤５重量部から成る素材を用いて常法に従って成形したものである。
【００１０】
また、靴底Ａの底面は、踏みつけ部Ａａとヒール部Ａｂおよびこれらの間に介在させた踏まず部Ａｃとで構成し、踏みつけ部Ａａとヒール部Ａｂには底意匠パターン１Ａ，１Ｂを各部Ａａ，Ａｂの全域に設けてある。
【００１１】
底意匠パターン１Ａ，１Ｂは、左右の両端を開口した条溝部２，…と平滑状の接地面３ａを備えた突条部３，…を靴底Ａの先後方向に交互に配して横縞模様と成し、かつ、前記突条部３，…を一対以上に分割する縦条溝部４，…によって前記条溝部２，…を互いに連通させて構成する。
【００１２】
条溝部２は、所謂底意匠パターンの存在による踏みつけ部Ａａとヒール部Ａｂの歩行時における曲がりにくさを回避するためであるため、歩行方向すなわち靴底Ａの先後方向に対して直交する方向に配すること（条溝部２に沿って配した突条部３も必然的に条溝部２と方向性を同じくすることになる）が望ましいが、厳密な意味で直交する方向に配する必要はない。また、他方において、条溝部２は、歩行時の滑りの要因となる床面上の水や油を取り込むスペースとして機能するから、該機能を果たす程度の一定以上の幅を設けるべきである。
【００１３】
前記突条部３は接地面３ａを平滑状とすることにより床面との摩擦力が増大し、また、エッジ部（実施例は断面ほぼ９０°）によっての引っ掻き力を得られる。
【００１４】
従って、突条部３は長ければ長い程防滑効果を期待できるが、反面、突条部３，３間に介在する条溝部２に水や油が滞留することにより防滑効果が低下するため、前記の縦条溝部４を設けることにより該突条部３を２つ又は３つに分割してある。
【００１５】
縦条溝部４は、条溝部２に滞留する水や油の除去と、突条部３を分割して、分割した個々の突条部３部分を個々独立した可動性を持たせることにより歩行時の荷重移動（ヒール後端〜ヒール外側〜踏まず部外側〜踏付け部〜拇指球〜爪先）に伴う底意匠への荷重を局部的に捕らえ荷重を集中させることで摩擦力、引っ掻き力を高めている。
【００１６】
また、前記踏みつけ部Ａａの底意匠パターン１Ａは、ヒール部Ａｂの底意匠パターン１Ｂにないパターン部分１Ａ´を設けてある。
【００１７】
該パターン部分１Ａ´は、底意匠パターン１Ａ中の前記踏まず部Ａｃよりに設けてあり、底意匠パターン１Ａを構成する前記突条部３乃至条溝部２に対して交叉する方向に配した交叉突条部６と前記条溝部２に連通する交叉条溝部７を交互に配して構成し、その方向性により、前記先後方向に対する左右方向の防滑効果を期待するもので、該パターン部分１Ａ´を構成する。
【００１８】
交叉突条部６と交叉条溝部７は突条部３と条溝部２と方向性が異なるだけで残余の点はこれらと同様に構成する。
【００１９】
実施例試作品に関する比較試験を下記に示す。
0004198305.tif 000002
【００２０】
なお、本発明は、例えばスニーカータイプの靴底（ゴムを素材としてプレス成形する）にも適用できるが、長靴のようにゆったりした足入れとなっている靴に適用するに好適である。
【００２１】
【発明の効果】
一般靴に比べゆったりした足入れとなっている長靴において、長靴と足がフィットしないだけ足裏の荷重位置と底意匠パターン位置がマッチしない場合が多く、スリップし易い状況となっているが、本発明によれば前記の通りの構成であるので、歩行時の接地〜踏付け〜踏み蹴りと一連の歩行運動でグリップ力を得られる底意匠及びパターン領域を広くし、ルーズな足入れでも高い防滑性を得られる長靴を提供できる。
【図面の簡単な説明】
【図１】正面図。
【図２】側面図。
【符号の説明】
Ａａ      踏みつけ部
Ａｂ      ヒール部
Ａｃ      踏まず部
１Ａ      底意匠パターン部
１Ａ´    パターン部分
２        条溝部
３        突条部
３ａ      接地面
４        縦条溝部
６        交叉突条部
７        交叉条溝部
【図１】
0004198305.tif 000003
【図２】
0004198305.tif 000004